(57)【要約】【課題】動的で、スペース制限がなく、インタラクティブで、非常に効率的かつ便利な見積過程をＥＭＳメーカーに提供する。【解決手段】本発明は、ＷＬＡＮ接続を経てクライアントからサーバー（見積サービスウェブサイト２０と見積処理システム１０からなる）に見積依頼を送るワイアレスローカルエリアネットワーク（ＷＬＡＮと省略する）を使用し、見積結果を生成し、クライアントオペレーションターミナル３０に結果を送る。【選択図】　　　　　　図１
2004133890.tif 000002
【特許請求の範囲】
【請求項１】
ＷＬＡＮ接続によって見積過程を実行し動的に見積結果を生成するためクライアントからサーバーにユーザーが入力した見積依頼を送信するワイアレス見積プラットフォームシステムであって、
見積依頼の選択と入力、見積関連の情報の閲覧をユーザーに提供するクライアント側のオペレーションターミナルと、
見積結果のデータページを生成するために見積サービスウェブサイトから見積を受信して分析するサーバー側の見積処理システムと、
受信された見積結果を見積処理システムに送信し、受信された見積結果のデータページをオペレーションターミナルに返すオペレーションターミナルと見積処理システムに接続されるサーバー側の見積サービスウェブサイトと、
を有することを特徴とするワイアレス見積プラットフォーム。
【請求項２】
前記見積サービスウェブサイトは、１組のＡＰｌｓを介して見積処理システムに見積依頼を送信することを特徴とする請求項１記載のワイアレス見積プラットフォーム。
【請求項３】
前記見積サービスウェブサイトは、オペレーションターミナルによってユーザーが閲覧できるすべての見積関連の情報を記憶する内容データベースを有することを特徴とする請求項１記載のワイアレス見積プラットフォーム。
【請求項４】
ＷＬＡＮ接続によって見積過程を実行し見積結果を生成するためにクライアントからサーバーにユーザーが入力した見積依頼を送信するワイアレス見積方法であって、
オペレーションターミナルと見積サービスウェブサイトとの間のコネクションを確立するステップと、
前記オペレーションターミナルに見積依頼を提供し、見積サービスウェブサイトに見積依頼を送信するステップと、
見積依頼を受信し前記見積依頼の分析をするために見積依頼を見積処理システムに送信するステップと、
見積結果を取得し前記見積結果をデータページに変換しデータページを見積サービスウェブサイトに返すステップと、
前記オペレーションターミナルに表示させるため見積結果のデータページを返すステップと、
を含むことを特徴とするワイアレス見積方法。
【請求項５】
見積依頼が標準の見積依頼であるとき、前記オペレーションターミナルに見積依頼を提供し、見積サービスウェブサイトに見積依頼を送信するステップは、
ＥＭＳモデルの入力メニューを送信し表示するステップと、
ＥＭＳモデルに入力されたデータを受信し記憶するステップと、
配信モデルの入力メニューを送信し表示するステップと、
配信モデルに入力されたデータを受信し記憶するステップと、
標準の見積依頼を生成するステップと、
入力を確認するステップと、
見積依頼を生成するステップと、
を含むことを特徴とする請求項４記載のワイアレス見積方法。
【請求項６】
ユーザーがすべての入力を確認しないとき、ユーザーが次の見積依頼を入力することを可能にするステップを含むことを特徴とする請求項４記載のワイアレス見積方法。
【請求項７】
前記見積依頼がカスタマイズされた見積依頼であるとき、前記オペレーションターミナルに見積依頼を提供し、見積サービスウェブサイトに見積依頼を送信するステップにける前記見積依頼の生成は、
ＥＭＳモデルの入力メニューを送信し表示するステップと、
ＥＭＳモデルに入力されたデータを受信し記憶するステップと、
配信モデルの入力メニューを送信し表示するステップと、
配信モデルに入力されたデータを受信し記憶するステップと、
カスタマイズされた見積依頼の入力メニューを送信し表示するステップと、
カスタマイズされた見積依頼の内容を受信し記憶するステップと、
カスタマイズされた見積依頼を生成するステップと、
入力を確認するステップと、
見積依頼を生成するステップと、
を含むことを特徴とする請求項４記載のワイアレス見積方法。
【請求項８】
ユーザーがすべての入力を確認しないとき、ユーザーが次の見積依頼を入力することを可能にするステップを含むことを特徴とする請求項７記載のワイアレス見積方法。
【請求項９】
見積結果を取得し前記見積結果をデータページに変換しデータページを見積サービスウェブサイトに返すステップにおいて標準の見積依頼のデータページの生成は、
分析された見積依頼の内容を読み込むステップと、
見積過程を実行するために、標準の見積依頼に従って対応する見積規則とパラメータを取り出すステップと、
標準の見積結果を生成するステップと、
見積結果をデータページに変換するステップと、
見積サービスウェブサイトに見積結果のデータページを戻すステップと、
見積サービスウェブサイトに見積過程の終結の通知を送信するステップと、
を含むことを特徴とする請求項４記載のワイアレス見積方法。
【請求項１０】
見積結果を取得し前記見積結果をデータページに変換しデータページを見積サービスウェブサイトに返すステップにおいてカスタマイズされた見積依頼のデータページの生成は、
分析された見積依頼の内容を読み込むステップと、
見積過程を実行するために、カスタマイズされた見積依頼に従って対応する見積規則とパラメータを取り出して調整するステップと、
カスタマイズされた見積結果を生成するステップと、
見積結果をデータページに変換するステップと、
見積サービスウェブサイトに見積結果のデータページを返すステップと、
見積サービスウェブサイトに見積過程の終結の通知を送信するステップと、
を含むことを特徴とする請求項４記載のワイアレス見積方法。
【発明の詳細な説明】
【０００１】
【発明の属する技術分野】
本発明は、自動見積システムに係り、特に、ＷＬＡＮ（ワイアレスなローカルエリアネットワーク）接続によりクライアントの見積依頼を受け取りサーバーの見積結果を動的に生成する、ＥＭＳ（エレクトロニクス製造サービス）の見積過程に応用されたシステムに関する。
【０００２】
【従来の技術】
ＥＭＳの分野においては、見積は効果的に決めづらい非常に複雑な問題である。顧客の様々な見積依頼およびＥＭＳ作業モデルの複雑さのため、メーカーは多くの人的資源と時間を種々の顧客の様々な見積を処理することに使う。それゆえ見積過程の効率は低くなる。もし必要な見積結果を顧客に直ちに提供するための効率的な見積メカニズムを持っているならば、メーカーはもっと容易に利益を得ることができるであろう。結果として、効率的な見積メカニズムはＥＭＳメーカーにとっては重要でＥＭＳの分野においても必要なものである。
【０００３】
過去の電子商取引時代においては、メーカーが顧客の見積依頼を知り、顧客が必要な見積結果を見つけることができるようにするため、ウェブを基礎とするポータルサイトを構築することが、顧客とメーカーとの間の通信チャンネルを確立するために広く用いられた。しかしながら、機動性が強調されるＭ−商取引時代において、頻繁に競争の増加に直面すると、ＥＭＳメーカーは、電子商取引時代に使われたモデルが既にタイムリーなニーズに応えられなくなっているのではないかと思い始めた。従って、ワイアレスな見積プラットフォームとその見積方法を構築するために、より柔軟であり、もっとタイムリーに見積依頼の顧客ニーズを満足させることができ、限られたコンピュータプラットフォーム電子商取引見積メカニズムよりも使いやすい方法を構築するために、ＷＬＡＮソフトウェアとハードウェア技術どのようにを使用するかということは、ＥＭＳメーカーにより多くのビジネスの機会をもたらし、競争心を増大させる緊急の要望を持つＥＭＳメーカーにおける努力の重要な方向となるはずである。
【０００４】
【発明が解決しようとする課題】
本発明は、ワイアレス見積プラットフォームとその見積方法を提供することであり、その主な目的は、ＷＬＡＮソフトウェアとハードウェア技術によって、クライアントとサーバーとの間のリモートアクセスを通して、動的で、スペース制限がなく、インタラクティブで、非常に効率的かつ便利な見積過程をＥＭＳメーカーに提供することである。
【０００５】
【課題を解決するための手段】
上記の目的を達成するために、提案されたワイアレス見積プラットフォームは、クライアントのオペレーションターミナル、サーバーの見積処理システムおよびサーバーの見積サービスウェブサイトを含む。
【０００６】
さらに、提案されたワイアレス見積方法は以下のステップを含む。まず、オペレーションターミナルと見積サービスウェブサイトとの間のコネクションが確立される。そして、オペレーションターミナルは見積依頼を見積サービスウェブサイトに送る。見積依頼を受け取った後に、見積サービスウェブサイトは見積依頼を見積処理システムに送る。対応する見積結果を取り出し、見積結果のデータページを生成し、そのデータページを見積サービスウェブサイトに返す。サービスウェブサイトは見積結果のデータページをオペレーションターミナル戻し、最後に、オペレーションターミナルと見積サービスウェブサイトとの間のコネクションを解除する。
【０００７】
【発明の実施の形態】
以下に添付図面を参照して、本発明にかかるワイアレス見積プラットフォームとその見積方法の好適な実施の形態を詳細に説明する。図１は、提案されたワイアレス見積プラットフォームとその見積方法のアーキテクチャを示す。本発明は、クライアントオペレーションターミナル３０とサーバーの見積サービスウェブサイト２０との間の通信メディアとしてＷＬＡＮ技術（例えば、ＩＥＥＥ８０２．１ｌａ、８０２．１ｌｂ、８０２．１ｌｇ…）が使用される。無線通信によって、ユーザーは様々な見積依頼を選択、設定し、その見積依頼を見積を処理するサーバーに送ることができる。従って、ユーザーに見積結果を動的に生成する。各構成要素は次の通りである。
【０００８】
１．サーバー側の見積処理システム１０は、見積サービスウェブサイトからの見積依頼を受信し分析する。見積結果を生成する間、見積処理システム１０は見積結果のデータページを生成し、データページを見積サービスウェブサイト２０に送る。
【０００９】
２．オペレーションターミナル３０に接続されている見積サービスウェブサイト２０は、オペレーションターミナル３０からユーザーにより入力された見積依頼を受信し、見積処理システム１０にその見積依頼を送信する。見積処理システム１０の見積結果のデータページを受信する時、見積サービスウェブサイト２０はデータページをオペレーションターミナル３０に返す。
【００１０】
見積サービスウェブサイト２０は見積依頼における選択と設定のため、ユーザーにオペレーションターミナル３０でＡＰｌｓ（アプリケーションプログラムインタフェース）のセット（１組の）を提供する。ＡＰｌｓはまた、見積処理システム１０に見積依頼を送信するため、見積サービスウェブサイト２０によって使用される。
【００１１】
加えて、見積サービスウェブサイト２０はすべての見積関連の情報を蓄えている内容データベースを含んでいる。ユーザーはオペレーションターミナル３０によってデータベース内の見積関連の情報を選択し閲覧する。
３．クライアント側のオペレーションターミナル３０は、オペレーション、選択、およびインプットサービス（例えば、見積依頼の選択と入力、見積関連情報の閲覧）をユーザーに提供する。
【００１２】
図２は、提案されたプラットフォームとその見積方法のフローチャートを示す。まず、オペレーションターミナル３０と見積サービスウェブサイト２０との間のコネクションがＷＬＡＮにより確立される（ステップ１００）。コネクションが確立された後、ユーザーは、見積依頼を選択し入力するためにオペレーションターミナル３０によって見積サービスウェブサイト２０に接続し、見積サービスウェブサイト２０に見積依頼を送信する（ステップ１１０）。見積依頼の生成過程は図３において説明される。そして、見積サービスウェブサイト２０は受信した見積依頼を分析するために見積処理システム１０に送信し（ステップ１２０）、ユーザーの依頼内容が何であるのかを決める。分析した後に、見積処理システム１０は、ユーザーの見積依頼に従って対応するアルゴリズムと見積項目をデータベースから取り出し、見積結果を生成する。そして、見積結果は、データページに変換され、オペレーションターミナル３０で表示され、見積サービスウェブサイト２０に返される（ステップ１３０）。データページの生成は図４で説明される。見積結果のデータページを受信したとき、見積サービスウェブサイト２０は表示のためオペレーションターミナル３０にデータページを返す（ステップ１４０）。見積サービスウェブサイト２０は、ユーザーが次の見積依頼を入力したいか否かを決定する（ステップ１５０）。入力するのであれば、システムはステップ１１０に戻る。入力しないのであれば、オペレーションターミナルと見積サービスウェブサイトとの間のコネクションを解除する（ステップ１６０）。
【００１３】
図３は、提案されたプラットフォームとその見積方法における見積依頼の生成の詳細なフローチャートを示し、オペレーションターミナル３０と見積サービスウェブサイト３０との間の詳細な相互動作を説明するものである。実用的な見積過程がまったく複雑なため、見積依頼の種々の結合により種々の見積結果が生成される。しかし、見積依頼の結合および見積の予想は、発明の範囲にはなく、それゆえ私達は、オペレーションターミナル３０と見積サービスウェブサイト２０との間の相互動作に焦点を当てる。まず、ユーザーが見積を必要とする時には、見積サービスウェブサイト２０はユーザーにＥＭＳモデルの入力メニューを送り（ステップ２００）、ユーザーの入力を受信して記憶する（ステップ２０５）。見積サービスウェブサイト２０はユーザーに配信モデルの入力メニューを送信し（ステップ２１０）、ユーザーの入力を受信し記憶する（ステップ２１５）。ユーザーが標準の見積モデルを選択するならば（ステップ２２０）、見積サービスウェブサイト２０は標準の見積依頼を生成する。一方、ユーザーが、カスタマイズされた見積モデル（ステップ２２０）を選ぶならば、見積サービスウェブサイト２０はニューザーに特別な見積依頼を設定するために入力メニューを提供する（ステップ２４０）。カスタマイズされた見積の内容を受信して記憶し（ステップ２４５）、最後にカスタマイズされた見積依頼を生成する（ステップ２５０）。
【００１４】
そして、見積サービスウェブサイト２０はユーザーがすべての選択された過程を確認するか否かを決定する（ステップ２６０）。確認するのであれば、見積サービスウェブサイト２０は、すべての標準のまたはカスタマイズされた見積依頼を統合し、見積過程システムに送信した見積依頼を生成する（ステップ２８０）。ユーザーが、すべての選択された過程を確認しないのであれば（ステップ２６０）、ユーザーは他の見積依頼を入力できる（ステップ２７０）。
【００１５】
図４は、見積結果のデータページを生成するフローチャートを示す。見積サービスウェブサイト２０から見積依頼を受信するとき、見積処理システム１０はまず受信した見積依頼を分析し（ステップ３００）、ユーザーが標準の見積を選択するかどうかを決定する（ステップ３１０）。ユーザーが標準の見積を選択すれば、見積処理システムは、デフォルトの見積規則と見積を実行するための標準の見積依頼の内容に従うパラメータを実行し（ステップ３２０）、標準の見積結果を生成する（ステップ３３０）。ユーザーが、カスタマイズされた見積を選択するならば、見積処理システムは標準の見積規則とパラメータをカスタマイズされた見積依頼の内容に従って調整し、見積を実行し（ステップ３４０）、カスタマイズされた見積結果を生成する（ステップ３５０）。
【００１６】
標準のまたはカスタマイズされた見積結果を生成した後に、見積処理システム１０はオペレーションターミナル３０によってブラウズすることができる見積結果のデータページを生成するためにその結果を統合し（ステップ３６０）、データページを見積サービスウェブサイト２０に返す（ステップ３７０）。その間、見積処理システムも見積過程の終結の通知を見積サービスウェブサイト２０に送り（ステップ３８０）、最後にその過程が終結される。
【００１７】
本発明の好適な実施の形態は本発明の開示を目的として成されたものであり、他の実施の形態として本発明の開示された実施の形態の改良が当業者によって成されるかもしれない。従って、添付されたクレームは、発明の精神と範囲を逸脱しないすべての権利範囲をカバーすることを意図している。
【００１８】
【発明の効果】
以上説明したように、ＷＬＡＮソフトウェアとハードウェア技術を使用した、提案されたワイアレス見積プラットフォームとその見積方法は、見積過程の時間的なおよび空間的な制限を取り除き、適用範囲が増加する。さらに、見積過程にはあまり時間がかからない。
【００１９】
ユーザーは直ちに必要な見積結果を得ることができる。提案されたプラットフォームとその見積方法は、ユーザーのビジネスの効率も増大させる。
【００２０】
ＥＭＳメーカーは顧客の要求を得て、理解し、非常に効率的な見積過程を通じて顧客の満足度を増大させ、より多くの顧客の注文を得て、より多くの利益を得ることができる。
【図面の簡単な説明】
【図１】提案されたプラットフォームと方法のアーキテクチャである。
【図２】提案されたプラットフォームと方法のフローチャートである。
【図３】提案されたプラットフォームと方法において見積依頼の生成の詳細を示すフローチャートである。
【図４】提案された見積結果のデータページの生成の詳細を示すフローチャートである。
【符号の説明】
１０…見積処理システム、
２０…見積サービスウェブサイト、
３０…クライアントオペレーションターミナル。
【図１】
2004133890.tif 000003
【図２】
2004133890.tif 000004
【図３】
2004133890.tif 000005
【図４】
2004133890.tif 000006